(57)【要約】【課題】印刷中に、所謂紙ジャムが発生し、用紙が搬送経路に残ったままとなった場合に、使用者が、搬送経路に残った用紙を容易に取り除くことができないという課題がある。【解決手段】用紙Ｐに記録する記録部と、筐体２の内部に設けられ、用紙Ｐが搬送される搬送経路と、筐体２に設けられ、搬送経路が露出する搬送経路開口部としての開口部２４と、退避可能な部材から構成され、開口部２４を覆うカバー３０と、を備えた記録装置を提供する。【選択図】図１１
2013151098.tif 000002
【特許請求の範囲】
【請求項１】
記録媒体に記録する記録部と、
筐体の内部に設けられ、前記記録媒体が搬送される搬送経路と、
前記筐体に設けられ、前記搬送経路が露出する搬送経路開口部と、
退避可能な部材から構成され、前記搬送経路開口部を覆うカバーと、を備えたことを特徴とする記録装置。
【請求項２】
請求項１に記載の記録装置であって、
前記記録部は、前記記録媒体に向かってインクを噴射する液体噴射ヘッドを有し、
前記筐体に設けられ、前記搬送経路開口部と隣接する隣接開口部と、
前記筐体の外部に配置されたインクタンクと、
前記隣接開口部を通り、前記液体噴射ヘッドと前記インクタンクとを連通するインク供給チューブと、を備えたことを特徴とする記録装置。
【請求項３】
請求項１に記載の記録装置であって、
前記退避可能な部材は、変形可能な部材によって構成されたことを特徴とする記録装置。
【請求項４】
請求項１に記載の記録装置であって、
前記退避可能な部材は、複数の棒状部材によって構成され、前記棒状部材の端部が前記搬送経路開口部の縁に固定されたことを特徴とする記録装置。
【請求項５】
請求項１に記載の記録装置であって、
前記退避可能な部材は、複数の帯状部材によって構成され、前記帯状部材の端部が前記搬送経路開口部の縁に固定されたことを特徴とする記録装置。
【請求項６】
請求項２に記載の記録装置であって、
前記インク供給チューブは、前記液体噴射ヘッドと連通する第１のインク供給チューブと、前記インクタンクと連通する第２のインク供給チューブとを備え、
前記第１のインク供給チューブと前記第２のインク供給チューブとの間に介在する中継部が備えられたことを特徴とする記録装置。
【請求項７】
請求項２に記載の記録装置であって、
前記カバーは、前記隣接開口部を覆うことを特徴とする記録装置。
【請求項８】
請求項２に記載の記録装置であって、
前記インク供給チューブを係合する係合部を、前記筐体における前記搬送経路開口部を除く位置に備えたことを特徴とする記録装置。
【請求項９】
請求項６に記載の記録装置であって、
前記隣接開口部と連通し、前記中継部を収容する収容部が備えられたことを特徴とする記録装置。
【請求項１０】
請求項９に記載の記録装置であって、
前記中継部は、前記収容部に装着されたアダプターであることを特徴とする記録装置。
【請求項１１】
請求項９に記載の記録装置であって、
前記中継部は、前記収容部に備えられた継手であることを特徴とする記録装置。
【請求項１２】
請求項１０に記載の記録装置であって、
前記アダプターは、液体を貯留する貯留部を備えた液体容器であることを特徴とする記録装置。
【請求項１３】
請求項１から請求項１２のいずれか一項に記載の記録装置であって、
前記筐体における前記搬送経路開口部の鉛直方向下側に、前記記録媒体を排出する排出用開口部が備えられたことを特徴とする記録装置。
【請求項１４】
請求項１３に記載の記録装置であって、
前記筐体における前記排出用開口部の鉛直方向下側に、前記記録媒体を載置するカセット挿入口部が備えられたことを特徴とする記録装置。
【請求項１５】
筐体の内部に設けられ、記録媒体が搬送される搬送経路と、前記筐体に設けられ、前記搬送経路が露出する搬送経路開口部と、を備えた記録装置のカバーであって、退避可能な部材から構成され、前記搬送経路開口部を覆うことを特徴とするカバー。
【発明の詳細な説明】
【技術分野】
【０００１】
本発明は、記録装置、カバーに関する。
【背景技術】
【０００２】
インクジェットヘッドを備えたインクジェット方式の記録装置や、感光体を備えた電子写真方式の記録装置は、搬送される用紙などの記録媒体に文字や画像を形成する。このような記録装置では、所謂紙ジャムによって搬送される用紙が搬送経路に残ってしまうことがある。
例えば、特許文献１では、使用者がカバーを開けるときの操作に連動して、外側搬送部材と内側搬送部材とが分離し、搬送経路に残った用紙を取り出すことができる。
【先行技術文献】
【特許文献】
【０００３】
【特許文献１】特開２００８−５８４４９号公報
【発明の概要】
【発明が解決しようとする課題】
【０００４】
しかしながら、特許文献１の記録装置では、紙ジャムによって搬送される用紙が搬送経路に残ってしまったとき、使用者がカバー全体を回動させなくてはならないという課題がある。また、カバー全体の回動に連動して外側搬送部材と内側搬送部材とを分離させて搬送経路を露出させる構成を備えている。そのため、記録装置が大型化してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体に記録する記録部と、筐体の内部に設けられ、前記記録媒体が搬送される搬送経路と、前記筐体に設けられ、前記搬送経路が露出する搬送経路開口部と、退避可能な部材から構成され、前記搬送経路開口部を覆うカバーと、を備えたことを特徴とする記録装置。
【０００７】
本適用例によれば、退避可能な部材から構成され、搬送経路開口部を覆うカバーを備える。これにより、紙ジャムによって搬送される記録媒体が搬送経路に残ってしまったとき、使用者がカバー全体を回動させることなく、使用者は搬送経路開口部から手を入れて搬送経路に残った記録媒体を取り除くことができる。また、搬送経路が露出する搬送経路開口部を備える。これにより、カバー全体の回動に連動して搬送経路を露出させる構成を備えていないので記録装置が大型化してしまうことを抑制できる。
【０００８】
［適用例２］前記記録部は、前記記録媒体に向かってインクを噴射する液体噴射ヘッドを有し、前記筐体に設けられ、前記搬送経路開口部と隣接する隣接開口部と、前記筐体の外部に配置されたインクタンクと、前記隣接開口部を通り、前記液体噴射ヘッドと前記インクタンクとを連通するインク供給チューブと、を備えたことを特徴とする上記記録装置。
【０００９】
本適用例によれば、隣接開口部を通り、液体噴射ヘッドとインクタンクとを連通するインク供給チューブが備えられる。これにより、インク供給チューブが搬送経路や搬送経路開口部に位置しないので、使用者が、搬送経路開口部から手を入れて搬送経路に残った記録媒体を取り除くとき、インク供給チューブが障害になることを防止できる。
【００１０】
［適用例３］前記退避可能な部材は、変形可能な部材によって構成されたことを特徴とする上記記録装置。
【００１１】
本適用例によれば、使用者は、カバーの一部を変形させて開口させることができるので、カバーの外側から内側に手を入れて、搬送経路に残った記録媒体を取り除くことができる。
【００１２】
［適用例４］前記退避可能な部材は、複数の棒状部材によって構成され、前記棒状部材の端部が前記搬送経路開口部の縁に固定されたことを特徴とする上記記録装置。
【００１３】
本適用例によれば、棒状部材の固定された端部の反対側が退避するので、使用者は、カバーの一部を開口させ、搬送経路に手を入れて、搬送経路に残った記録媒体を取り除くことができる。
【００１４】
［適用例５］前記退避可能な部材は、複数の帯状部材によって構成され、前記帯状部材の端部が前記搬送経路開口部の縁に固定されたことを特徴とする上記記録装置。
【００１５】
本適用例によれば、帯状部材の固定された端部の反対側が退避するので、使用者は、カバーの一部を開口させ、搬送経路に手を入れて、搬送経路に残った記録媒体を取り除くことができる。
【００１６】
［適用例６］前記インク供給チューブは、前記液体噴射ヘッドと連通する第１のインク供給チューブと、前記インクタンクと連通する第２のインク供給チューブとを備え、前記第１のインク供給チューブと前記第２のインク供給チューブとの間に介在する中継部が備えられたことを特徴とする上記記録装置。
【００１７】
本適用例によれば、第１のインク供給チューブ、第２のインク供給チューブをそれぞれ異なる部材によって構成することができる。
【００１８】
［適用例７］前記カバーは、前記隣接開口部を覆うことを特徴とする上記記録装置。
【００１９】
本適用例によれば、外観上の美観が向上する。
【００２０】
［適用例８］前記インク供給チューブを係合する係合部を、前記筐体における前記搬送経路開口部を除く位置に備えたことを特徴とする上記記録装置。
【００２１】
本適用例によれば、インク供給チューブが搬送経路や搬送経路開口部に位置しないので、使用者が、搬送経路開口部から手を入れて搬送経路に残った記録媒体を取り除くときの障害になることを防止できる。
【００２２】
［適用例９］前記隣接開口部と連通し、前記中継部を収容する収容部が備えられたことを特徴とする上記記録装置。
【００２３】
本適用例によれば、第１のインク供給チューブや第２のインク供給チューブが搬送経路や搬送経路開口部に位置しないので、使用者が、搬送経路開口部から手を入れて搬送経路に残った記録媒体を取り除くとき、第１のインク供給チューブや第２のインク供給チューブが障害になることを防止できる。
【００２４】
［適用例１０］前記中継部は、前記収容部に装着されたアダプターであることを特徴とする上記記録装置。
【００２５】
本適用例によれば、筐体とインクタンクとを分離することができる。
【００２６】
［適用例１１］前記中継部は、前記収容部に備えられた継手であることを特徴とする上記記録装置。
【００２７】
本適用例によれば、第１のインク供給チューブと第２のインク供給チューブとを中継することができる。
【００２８】
［適用例１２］前記アダプターは、液体を貯留する貯留部を備えた液体容器であることを特徴とする上記記録装置。
【００２９】
本適用例によれば、貯留部から液体を液体噴射ヘッドに供給することができる。
【００３０】
［適用例１３］前記筐体における前記搬送経路開口部の鉛直方向下側に、前記記録媒体を排出する排出用開口部が備えられたことを特徴とする上記記録装置。
【００３１】
本適用例によれば、使用者は、筐体における排出用開口部が備えられた側から搬送経路開口部に手を入れて搬送経路に残った記録媒体を取り除くことができる。
【００３２】
［適用例１４］前記筐体における前記排出用開口部の鉛直方向下側に、前記記録媒体を載置するカセット挿入口部が備えられたことを特徴とする上記記録装置。
【００３３】
本適用例によれば、使用者は、筐体におけるカセット挿入口部が備えられた側から搬送経路開口部に手を入れて搬送経路に残った記録媒体を取り除くことができる。
【００３４】
［適用例１５］筐体の内部に設けられ、記録媒体が搬送される搬送経路と、前記筐体に設けられ、前記搬送経路が露出する搬送経路開口部と、を備えた記録装置のカバーであって、退避可能な部材から構成され、前記搬送経路開口部を覆うことを特徴とするカバー。
【００３５】
本適用例によれば、退避可能な部材から構成され、搬送経路開口部を覆うカバーを備える。これにより、紙ジャムによって搬送される記録媒体が搬送経路に残ってしまったとき、使用者がカバー全体を回動させることなく、使用者は搬送経路開口部から手を入れて搬送経路に残った記録媒体を取り除くことができる。
【図面の簡単な説明】
【００３６】
【図１】記録装置の外観斜視図。
【図２】カバーを取り外した状態における記録装置の外観斜視図。
【図３】カバーの図。
【図４】実施形態２における記録装置の外観斜視図。
【図５】実施形態２におけるカバーを取り外した状態における記録装置の外観斜視図。
【図６】実施形態２における収容部の部分を示す外観斜視図。
【図７】実施形態２におけるカバーの図。
【図８】実施形態３における記録装置の外観斜視図。
【図９】実施形態４における中継部としての継手を示す図。
【図１０】（ａ）は、貯留部を備えたアダプターの斜視図、（ｂ）は、管形状の継手の斜視図。
【図１１】実施形態５における記録装置の外観斜視図。
【図１２】実施形態５におけるカバーを取り外した状態における記録装置の外観斜視図。
【図１３】実施形態６における記録装置の外観斜視図。
【図１４】実施形態６におけるカバーを取り外した状態における記録装置の外観斜視図。
【図１５】複数の固い棒状部材によって構成されるカバーの一部を示す図。
【図１６】記録部に原稿給紙部とスキャナー部とを備えた記録装置の外観斜視図。
【発明を実施するための形態】
【００３７】
以下、本発明の実施形態について、図面を参照して説明する。
（実施形態１）
図１は、実施形態１における記録装置としてのインクジェットプリンター（以降は、プリンターという）１を副走査方向Ｄ２下流側から見た図、すなわち正面側から見た外観斜視図である。カバー３０は、一方の面が粘着性を有する帯状の固定部材３１によって、筐体２に固定される。
【００３８】
図２は、図１のカバー３０を取り外した状態におけるプリンター１の外観斜視図である。筐体２の内部には、筐体２に固定されたガイド部３に沿って、主走査方向Ｄ１に往復移動するキャリッジ４が備えられる。キャリッジ４には、液体としてのインクを噴射する液体噴射ヘッド５が備えられる。
【００３９】
筐体２の副走査方向Ｄ２上流側すなわち背面側には、記録媒体としての用紙Ｐを載置する用紙サポート１４が備えられる。用紙サポート１４に載置された用紙Ｐは、筐体２に備えられた給紙装置（不図示）によって筐体２の内部に給紙される。
【００４０】
プリンター１は、紙送りモーター（不図示）によって回転駆動される駆動ローラー（不図示）と駆動ローラーと当接し従動する従動ローラー（不図示）とを備え、筐体２の内部に給紙された用紙Ｐは、駆動ローラーと従動ローラーによって、搬送経路１０に沿って副走査方向Ｄ２に搬送される。液体噴射ヘッド５は、主走査方向Ｄ１に往復移動しながら、搬送される用紙Ｐに対してインクを噴射し、用紙Ｐに文字や画像を記録する。
【００４１】
本実施形態における記録部は、主走査方向Ｄ１に往復移動する液体噴射ヘッド５、用紙Ｐを副走査方向Ｄ２に搬送する、駆動ローラーと従動ローラーを含んで構成される。
【００４２】
文字や画像が記録された用紙Ｐは、プリンター１の正面側に設けられた排出用開口部１８から、副走査方向Ｄ２に排出され、スタッカー１７に載置される。
【００４３】
また、プリンター１には、用紙Ｐを積載するためのカセット１５が、カセット挿入口部２６から挿入され、副走査方向Ｄ２にスライド可能に備えられる。使用者は、カセット１５に設けられた取手部１６を用いて、カセット１５を引き出し、用紙Ｐを積載する。
【００４４】
カセット１５に積載された用紙Ｐの最上部にある用紙Ｐが給紙装置によって、筐体２の内部に給紙され、搬送経路１０に沿って搬送される。液体噴射ヘッド５は、主走査方向Ｄ１に往復移動しながら、搬送される用紙Ｐに対してインクを噴射し、用紙Ｐに文字や画像を記録する。文字や画像が記録された用紙Ｐは、排出用開口部１８から排出され、スタッカー１７に載置される。
【００４５】
プリンター１の正面側には、電源のオン・オフの操作や、印刷条件の設定を行う操作ボタン２３や印刷条件の表示や、印刷時のエラー情報を表示するための発光ダイオードなどの表示部２２が備えられる。
【００４６】
筐体２の内部には、主走査方向Ｄ１において仕切る仕切り板１１、仕切り板１３、副走査方向Ｄ２において仕切る仕切り板１２が設けられている。キャリッジ４、ガイド部３は、鉛直方向Ｄ３において、仕切り板１１，１２，１３の下側に備えられる。この構成により、キャリッジ４は、鉛直方向Ｄ３における仕切り板１１，１２，１３の下側の位置で、主走査方向Ｄ１に往復移動する。
【００４７】
筐体２の内部には、主走査方向Ｄ１において仕切り板１１と仕切り板１３によって区画され、副走査方向Ｄ２において排出用開口部１８の鉛直方向Ｄ３上側に形成された壁部９と仕切り板１２によって区画され、鉛直方向Ｄ３において搬送経路１０と筐体２の内側の上部に形成された内壁面２ｂによって区画される空洞部Ｓが形成される。
【００４８】
筐体２の正面側すなわち副走査方向Ｄ２下流側には、主走査方向Ｄ１において仕切り板１１と仕切り板１３によって区画され、鉛直方向Ｄ３において内壁面２ｂと壁部９の鉛直方向Ｄ３上側の端面９ａによって区画される範囲（主走査方向Ｄ１の幅Ａ２と鉛直方向Ｄ３の高さＢに示す範囲）が開口する搬送経路開口部としての開口部２４が設けられている。
【００４９】
このように、筐体２の内部における搬送経路１０の液体噴射ヘッド５側に空洞部Ｓが形成され、空洞部Ｓと連通し、筐体２の正面側が開口する開口部２４が形成されている。また、ガイド部３は、副走査方向Ｄ２において仕切り板１２より背面側に備えられ、キャリッジ４は、副走査方向Ｄ２において仕切り板１２と重なる位置に備えられる。
【００５０】
このような構成により、使用者がプリンター１の正面側に設けられた開口部２４から空洞部Ｓを見ると、キャリッジ４の一部と搬送経路１０が露出している。
【００５１】
筐体２の正面側すなわち副走査方向Ｄ２下流側には、主走査方向Ｄ１において仕切り板１１と内壁面２ａによって区画され、鉛直方向Ｄ３において内壁面２ｂと壁部９の鉛直方向Ｄ３上側の端面９ａによって区画される範囲（主走査方向Ｄ１の幅Ａ１と鉛直方向Ｄ３の高さＢに示す範囲）が開口する隣接開口部としての開口部２８が設けられている。
【００５２】
筐体２の正面側における図面右側には、挿入孔３２が設けられている。挿入孔３２には、筐体２の内部に備えられた回路基板（不図示）と電気的に接続される端子（不図示）が備えられている。プリンター１の外部に配置された情報処理機器の通信用ケーブルが挿入孔３２に挿入され、端子を介して回路基板と電気的に接続される。
【００５３】
筐体２の外には、インクタンク５０が備えられる。インクタンク５０には、インク色別に区画された液体容器５１ａ，５１ｂ，５１ｃ，５１ｄが備えられる。本実施形態では、液体容器５１ａ〜５１ｄには、イエロー、マゼンタ、シアン、ブラックなどのインクがそれぞれ収容される。
【００５４】
インク供給チューブ４０ａ，４０ｂ，４０ｃ，４０ｄは、液体噴射ヘッド５とインクタンク５０の液体容器５１ａ，５１ｂ，５１ｃ，５１ｄと連通し、イエロー、マゼンタ、シアン、ブラックのインクがポンプ部（不図示）を介してインクタンク５０から液体噴射ヘッド５に供給される。
【００５５】
開口部２８の副走査方向Ｄ２上流側には、筐体２の内部を副走査方向Ｄ２に仕切る仕切り板２７が設けられる。仕切り板２７には、貫通孔２９が形成されている。また、搬送経路１０の鉛直方向Ｄ３上側の主走査方向Ｄ１の幅Ａ１の範囲においては、壁部９の鉛直方向Ｄ３上部から副走査方向Ｄ２上流側に延びる底板２０が形成されている。
【００５６】
インク供給チューブ４０ａ〜４０ｄは、筐体２の外部から開口部２８を通り、底板２０に当接または上部を通り、貫通孔２９を通り、キャリッジ４側に配置される。そして、インク供給チューブ４０ａ〜４０ｄは、キャリッジ４に固定される。インク供給チューブ４０ａ〜４０ｄは、キャリッジ４の主走査方向Ｄ１の往復移動に伴って、フレキシブルに変形が可能である。
【００５７】
インク供給チューブ４０ａ〜４０ｄは、結束部（不図示）によって束ねられ、プリンター１の筐体２の図面左側側面に備えられた係合部２１に係合される。係合部２１は、筐体２における開口部２４を除く位置に備えられる。
【００５８】
図１のカバー３０には、カバー３０を厚さ方向すなわち副走査方向Ｄ２に切断し、主走査方向Ｄ１に延びる切断部３０１が形成される。切断部３０１の主走査方向Ｄ１における両端において鉛直方向Ｄ３上側には、主走査方向Ｄ１に対して斜めに切断された切断部３０２ａ，３０２ｂが形成される。切断部３０１の鉛直方向Ｄ３下側には、切断部３０２ａ，３０２ｂと線対称の位置に切断部３０２ｃ，３０２ｄが形成される。
【００５９】
インク供給チューブ４０ａ〜４０ｄは、カバー３０の切断部３０１を通り、筐体２の外部から内部に配置される。インク供給チューブ４０ａ〜４０ｄは、図面左側の切断部３０２ａまたは切断部３０２ｃを通り、筐体２の外部から内部に配置されるようにしてもよい。
【００６０】
カバー３０には、切断部３０１，３０２ａ〜３０２ｄによって鉛直方向Ｄ３に分割された分断部３０３ａと分断部３０３ｂとが形成される。分断部３０３ａは、切断部３０１より鉛直方向Ｄ３上側の範囲で、破線ｊ、切断部３０２ａ、切断部３０２ｂによって囲まれる範囲である。分断部３０３ｂは、切断部３０１より鉛直方向Ｄ３下側の範囲で、破線ｋ、切断部３０２ｃ、切断部３０２ｄによって囲まれる範囲である。
【００６１】
図３（ａ）は、図１のカバー３０を、カバー３０がプリンター１に取り付けられた状態において正面側から見た図である。図３（ｂ）は、図３（ａ）の矢印方向すなわち主走査方向Ｄ１から見たＣ―Ｃ´の位置における断面図である。
【００６２】
カバー３０は、変形性を有する樹脂やゴムなどによって形成される。そのため、使用者がカバー３０の正面側から切断部３０１に手を背面側（副走査方向Ｄ２上流方向）に差し込むようにして入れると、分断部３０３ａと分断部３０３ｂは、背面側に突出して退避する。これにより、カバー３０における図３（ａ）、図３（ｂ）の鉛直方向Ｄ３の長さＬ１に示す部分が開口する。
【００６３】
使用者は、カバー３０の開口した部分から手を入れて搬送経路１０に残った用紙Ｐを把持した後、カバー３０の開口した部分から手を抜くと、分断部３０３ａと分断部３０３ｂは、図１に示す元の位置に戻る。
【００６４】
以上、説明した実施形態１のプリンター１は、用紙Ｐに記録する記録部と、筐体２の内部に設けられ、用紙Ｐが搬送される搬送経路１０と、用紙Ｐに向かってインクを噴射する液体噴射ヘッド５と、筐体２に設けられ、搬送経路１０が露出する搬送経路開口部としての開口部２４と、筐体２に設けられ、開口部２４と隣接する隣接開口部としての開口部２８と、筐体２の外部に配置されたインクタンク５０と、開口部２８を通り、液体噴射ヘッド５とインクタンク５０とを接続するインク供給チューブ４０ａ〜４０ｄと、変形可能な材質から構成され、第１の方向である鉛直方向Ｄ３に分断されることにより退避可能な部材としての分断部３０３ａ，３０３ｂを有し、開口部２４を覆うカバー３０と、を備える。
【００６５】
この構成によれば、紙ジャムが発生し搬送経路１０に用紙Ｐが残った場合に、使用者は、分断部３０３ａと分断部３０３ｂとの間に手を入れて、カバー３０の一部を開口させ、開口部２４を介して搬送経路１０に残った用紙Ｐを容易に取り除くことができる。
【００６６】
また、開口部２８を通り、液体噴射ヘッド５とインクタンク５０とを接続するインク供給チューブ４０ａ〜４０ｄが備えられる。これにより、インク供給チューブ４０ａ〜４０ｄが搬送経路１０や開口部２４に位置しないので、使用者が、開口部２４から手を入れて搬送経路１０に残った用紙Ｐを取り除くとき、インク供給チューブ４０ａ〜４０ｄが障害になることを防止できる。
【００６７】
図３（ｃ）に示すように、鉛直方向Ｄ３に延びる切断部３０５を形成し、分断部３０６ａ，３０６ｂを形成したカバー３０ａを備えてもよい。
【００６８】
また、図３（ｄ）に示すように、主走査方向Ｄ１に切断された切断部３０７の両端に円形状の開口部３０８を設けたカバー３０ｂを備えてもよい。開口部３０８を設けることにより、分断部３０９ａ，３０９ｂを背面側に倒すときの抵抗力が小さくなる。また、開口部２８側の開口部３０８にインク供給チューブ４０ａ〜４０ｄを通せば、インク供給チューブ４０ａ〜４０ｄをカバー３０ｂに固定することができる。
【００６９】
また、カバー３０，３０ａ，３０ｂが、開口部２４を覆うことにより、インクミストが開口部２４から筐体２の外部に流出することを抑制できる。また、カバー３０，３０ａ，３０ｂが、開口部２４，２８を覆うことにより、外観上の美観が向上する。
【００７０】
（実施形態２）
実施形態２では、変形可能な棒状部材によって構成されたカバーで、開口部２４を覆う記録装置について説明する。図４は、実施形態２におけるカバー３０ｃが備えられたプリンター１ａの外観斜視図である。図５は、図４のカバー３０ｃを取り外した状態でのプリンター１ａの外観斜視図である。
【００７１】
プリンター１ａには、収容部２５が設けられる。図６は、プリンター１ａの収容部２５の部分を示す外観斜視図である。図６は、図５のアダプター７ａ〜７ｄ、インク供給チューブ８ａ〜８ｄを図示していない。
【００７２】
図６の開口部２８の副走査方向Ｄ２上流側には、筐体２の内部を副走査方向Ｄ２に仕切る仕切り板２７ａが設けられる。収容部２５は、副走査方向Ｄ２においては、開口部２８が下流側に形成され、仕切り板２７ａによって上流側が区画されている。主走査方向Ｄ１においては、仕切り板１１と筐体２の内壁面２ａとによって区画され、鉛直方向Ｄ３においては、内壁面２ｂと底板２０とによって区画されている。
【００７３】
図５の収容部２５には、中継部としてのアダプター７ａ，７ｂ，７ｃ，７ｄが収容される。アダプター７ａ〜７ｄは、底板２０に設けられたガイドレール１９に備えられる。アダプター７ａ〜７ｄは、開口部２８によって正面側が露出して備えられる。
【００７４】
アダプター７ａ〜７ｄは、第１のインク供給チューブとしてのインク供給チューブ６と第２のインク供給チューブとしてのインク供給チューブ８ａ〜８ｄとの間に介在して備えられる。アダプター７ａ〜７ｄと液体噴射ヘッド５との間には、インクタンク５０からインクを吸引し液体噴射ヘッド５に供給するポンプ（不図示）などが備えられる。
【００７５】
図６の仕切り板２７ａには、４個の入力部８０が設けられている。入力部８０は、仕切り板２７ａの副走査方向Ｄ２上流側でインク供給チューブ６と接続される。また、入力部８０は、図５のアダプター７ａ〜７ｄの副走査方向Ｄ２上流側に設けられた出力部（不図示）と接続可能である。これにより、アダプター７ａ〜７ｄからインク供給チューブ６にインクが供給される。
【００７６】
入力部８０に対してアダプター７ａ〜７ｄの出力部（不図示）は着脱可能である。使用者は、ガイドレール１９に沿って、アダプター７ａ〜７ｄを収容部２５に装着したり、離脱させたりすることができる。アダプター７ａ〜７ｄは、収容部２５より小さく、収容部２５の一部に備えられる大きさであってもよい。
【００７７】
キャリッジ４には、インク供給チューブ６の一端が固定される。インク供給チューブ６は、キャリッジ４に備えられた液体噴射ヘッド５と接続される。インク供給チューブ６は、キャリッジ４の主走査方向Ｄ１の往復移動に伴って、フレキシブルに変形が可能である。
【００７８】
インク供給チューブ６は、例えば、イエロー、マゼンタ、シアン、ブラックなどのインク色の数の複数のインク供給チューブによって構成される。アダプター７ａ〜７ｄには、インク供給チューブ６の他端がインク色別にそれぞれ接続される。
【００７９】
筐体２の外には、インクタンク５０が備えられる。インクタンク５０には、インク色別に区画された液体容器５１ａ，５１ｂ，５１ｃ，５１ｄが備えられる。本実施形態では、液体容器５１ａ〜５１ｄには、イエロー、マゼンタ、シアン、ブラックなどのインクがそれぞれ収容される。
【００８０】
インク供給チューブ８ａ〜８ｄの一端は、インクタンク５０と接続され、インク供給チューブ８ａ〜８ｄの他端は、開口部２８を通り、アダプター７ａ〜７ｄとインク色別にそれぞれ接続される。
【００８１】
インク供給チューブ８ａ〜８ｄは、結束部（不図示）によって束ねられ、インク供給チューブ８ａ〜８ｄは、プリンター１ａの筐体２の図面左側側面に備えられた係合部２１に係合される。
【００８２】
図７（ａ）は、図４のカバー３０ｃの一部を正面側から見た図で、使用者の手（不図示）によって開口された状態にある。図７（ｂ）は、カバー３０ｃを構成する棒状部材３１１の一部を示す斜視図である。棒状部材３１１は、変形可能な樹脂やゴムなどによって構成される。綿や樹脂などの繊維素材を棒状に形成したものでもよい。
【００８３】
カバー３０ｃは、複数の棒状部材３１１を主走査方向Ｄ１に並べた状態で、棒状部材３１１の鉛直方向Ｄ３上側を連結部材３１０によって連結することによって構成される。図４のカバー３０ｃは、連結部材３１０を固定部材３１によって、開口部２４，２８の鉛直方向Ｄ３上側に位置する筐体２の端部に固定することによって、プリンター１ａに備えられる。
【００８４】
これにより、図７（ａ）の主走査方向Ｄ１の長さＬ２に示すように、使用者の手（不図示）が正面から背面側に向かって差し込まれると、棒状部材３１１は、主走査方向Ｄ１における両側に突出するように湾曲して退避し、壁部９の端面９ａの鉛直方向Ｄ３上側が開口する。
【００８５】
使用者は、カバー３０ｃの開口した部分から手を入れ、搬送経路１０に残った用紙Ｐを把持し、カバー３０ｃの開口した部分から手を抜くと、棒状部材３１１は、元の位置に戻り、開口した部分が閉じられる。
【００８６】
以上、本実施形態で説明したカバー３０ｃは、退避可能な部材としての図７（ａ）の棒状部材３１１によって構成され、棒状部材３１１の鉛直方向Ｄ３上端部が図５の開口部２４，２８の鉛直方向Ｄ３上側に位置する筐体２の端部に固定される。
【００８７】
この構成によれば、紙ジャムが発生し搬送経路１０に用紙Ｐが残った場合に、使用者は、主走査方向Ｄ１に隣接する棒状部材３１１の間に手を入れて、カバー３０ｃの一部を開口させ、開口部２４を介して搬送経路１０に残った用紙Ｐを容易に取り除くことができる。
【００８８】
また、液体噴射ヘッド５と接続されるインク供給チューブ６と、インクタンク５０と接続されるインク供給チューブ８ａ〜８ｄとを備え、インク供給チューブ６とインク供給チューブ８ａ〜８ｄとの間に介在するアダプター７ａ〜７ｄが備えられる。
【００８９】
この構成によれば、インク供給チューブ６、インク供給チューブ８ａ〜８ｄをそれぞれ異なる部材によって構成することができる。
【００９０】
また、開口部２８と連通し、アダプター７ａ〜７ｄを収容する収容部２５が備えられる。
【００９１】
この構成によれば、インク供給チューブ６やインク供給チューブ８ａ〜８ｄが搬送経路１０や開口部２４に位置しないので、使用者が、開口部２４から手を入れて搬送経路１０に残った用紙Ｐを取り除くとき、インク供給チューブ６やインク供給チューブ８ａ〜８ｄが障害になることを防止できる。
【００９２】
また、中継部としてのアダプター７ａ〜７ｄを備えることにより、筐体２とインクタンク５０とを分離することができる。
【００９３】
図７（ｂ）は、帯状部材３１２によって構成されたカバー３０ｄの斜視図である。本実施形態では、棒状部材３１１によって構成されたカバー３０ｃを備えたが、帯状部材３１２によって構成されたカバー３０ｄを備えてもよい。
【００９４】
カバー３０ｄは、変形可能な素材から形成され、鉛直方向Ｄ３における長さＬ４の範囲が切断された切断面３１３を有し、帯状部材３１２の鉛直方向Ｄ３上部を複数連結することによって構成される。カバー３０ｄの鉛直方向Ｄ３上端部は、開口部２４，２８の鉛直方向Ｄ３上側に位置する筐体２の端部に固定される。
【００９５】
これにより、図７（ｃ）の鉛直方向Ｄ３の長さＬ３に示すように、使用者の手（不図示）が背面側に差し込まれると、帯状部材３１２は、鉛直方向Ｄ３下側の端部が背面側に突出するように湾曲し、鉛直方向Ｄ３の長さＬ３に示すように、壁部９の端面９ａの鉛直方向Ｄ３上側が開口する。
【００９６】
この構成によれば、紙ジャムが発生し搬送経路１０に用紙Ｐが残った場合に、使用者は、複数の帯状部材３１２を筐体２の外部から内部に向かって手で押すことにより、退避可能な部材としての帯状部材３１２を背面側に退避させ、カバー３０ｄの一部を開口する。
【００９７】
使用者は、カバー３０ｄの開口した部分から手を入れ、搬送経路１０に残った用紙Ｐを把持し、カバー３０ｄの開口した部分から手を抜くと、帯状部材３１２は、元の位置に戻り、開口した部分が閉じられる。これにより、使用者は、開口部２４を介して搬送経路１０に残った用紙Ｐを容易に取り除くことができる。
【００９８】
また、長く伸びる棒状の固い部材を複数並べて構成したカバーを備えてもよい。図１５（ａ）は、複数の固い棒状部材３１４によって構成されたカバー３０ｆの一部を示す図である。固定部材３１６の主走査方向Ｄ１における両端部が、開口部２４の鉛直方向Ｄ３上側の縁に固定される。
【００９９】
棒状部材３１４の鉛直方向Ｄ３上端部にはリング３１５がそれぞれ設けられている。固定部材３１６が各リング３１５を貫通することにより、棒状部材３１４は、棒状部材３１４の下端側が移動自由に備えられる。
【０１００】
図１５（ｂ）は、カバー３０ｆの一部が開口した状態を示す図である。搬送経路１０に用紙Ｐが残ったとき、使用者は、退避可能な部材としての棒状部材３１４を主走査方向Ｄ１における両側に退避させることにより、カバー３０ｆの一部が開口する。
【０１０１】
使用者は、カバー３０ｆの開口した部分から手を入れ、搬送経路１０に残った用紙Ｐを把持し、カバー３０ｆの開口した部分から手を抜くと、棒状部材３１４は、元の位置に戻り、開口した部分が閉じられる。これにより、使用者は、開口部２４を介して搬送経路１０に残った用紙Ｐを容易に取り除くことができる。
【０１０２】
（実施形態３）
図８は、実施形態３におけるプリンター１ｂの外観斜視図である。プリンター１ｂは、図５の開口部２４のみを覆うカバー３０ｅを備える。実施形態１のカバー３０，３０ａ，３０ｂ、実施形態２におけるカバー３０ｃ，カバー３０ｄは、開口部２４と開口部２８とを覆ったが、図８に示すように、開口部２４のみを覆うカバー３０ｅを備えてもよい。プリンター１ｂの他の構成は、実施形態１で説明したプリンター１の構成と同じである。
【０１０３】
（実施形態４）
実施形態４では、中継部としての継手を備えた記録装置について説明する。図９（ａ）は、図６の入力部８０を拡大した斜視図である。仕切り板２７ａには、仕切り板２７ａから突出した、入力部８０としての継手８０ａが備えられる。継手８０ａは、管形状を有し、仕切り板２７ａを貫通し、仕切り板２７ａの副走査方向Ｄ２上流側と下流側に突出して備えられる。継手８０ａの副走査方向Ｄ２上流側は、インク供給チューブ６と接続される。
【０１０４】
図９（ｂ）は、出力部としての継手８１の斜視図である。継手８１は、管形状を有し、挿入孔８３に図９（ａ）の継手８０ａが挿入され、固定部８２によって仕切り板２７ａに固定される。継手８１には、インク供給チューブ８ａ（８ｂ，８ｃ，８ｄ）が接続される。継手８０ａ、継手８１は、インク供給チューブ６とインク供給チューブ８ａ（８ｂ，８ｃ，８ｄ）とを接続する中継部を構成する。
【０１０５】
上記は、出力部としての継手８１に入力部としての継手８０ａを挿入させたが、入力部としての継手８０ｂに出力部としての継手を挿入してもよい。図９（ｃ）は、入力部としての継手８０ｂの斜視図である。図９（ｄ）は、出力部としての継手８５の斜視図である。
【０１０６】
図９（ｃ）の継手８０ｂは、貫通孔８４を有する。継手８０ｂの副走査方向Ｄ２上流側は、インク供給チューブ６と接続される。図９（ｄ）の継手８５の突出部８７は、継手８０ｂの貫通孔８４に挿入され、固定部８６によって仕切り板２７ａに固定される。継手８０ｂ、継手８５は、インク供給チューブ６とインク供給チューブ８ａ（８ｂ，８ｃ，８ｄ）とを接続する中継部を構成する。
【０１０７】
また、中継部として、インクが貯留される貯留部を備えた液体容器を備えてもよい。図１０（ａ）は、貯留部９１を内部に備えたアダプター９０の斜視図である。アダプター９０は、アダプター７ａ〜７ｄと同様に、箱型形状を有し、収容部２５に収容することが可能である。
【０１０８】
アダプター９０は、インクを貯留する貯留部９１を備えた液体容器である。アダプター９０は、インク色別に備えられ、それぞれの貯留部９１は、一つのインク供給チューブ６と一つのインク供給チューブ８ａ〜８ｄと連通する。
【０１０９】
図１０（ｂ）は、管形状を有する継手８８の斜視図である。一つのインク供給チューブ６と一つのインク供給チューブ８ａ〜８ｄとを中継部としての継手８８によって接続してもよい。継手８８は、収容部２５の内部または収容部２５の外部に備えてもよい。本実施形態で説明したプリンターの他の構成は、実施形態１で説明したプリンター１の構成と同じである。
【０１１０】
（実施形態５）
実施形態１〜実施形態４では、筐体２の外部に配置されたインクタンク５０に液体容器５１ａ〜５１ｄを備えたが、実施形態５では、筐体２の外部にインクタンク５０を配置せずに、筐体２の内部に備えた液体容器から液体噴射ヘッド５にインクを供給するプリンターについて説明する。図１１は、実施形態５におけるプリンター１ｃの外観斜視図である。図１１のプリンター１ｃは、図１に示したインク供給チューブ４０ａ〜４０ｄ、インクタンク５０、係合部２１を取り除いたものである。
【０１１１】
図１２は、図１１のプリンター１ｃのカバー３０を取り外した状態における外観斜視図である。開口部２８に位置する収容部２５には、イエロー、マゼンタ、シアン、ブラックなどのインクがそれぞれ収容された液体容器としてインクカートリッジ４２ａ，４２ｂ，４２ｃ，４２ｄが着脱可能に備えられる。
【０１１２】
インクカートリッジ４２ａ〜４２ｄは、インク供給チューブ４１を介して液体噴射ヘッド５と連通する。実施形態１で説明したように、紙ジャムによって用紙Ｐが搬送経路１０に残ってしまったとき、使用者は、図１１の分断部３０３ａ，３０３ｂを背面側に退避させ、図１２の開口部２４から手を入れて用紙Ｐを取り除くことができる。
【０１１３】
カバー３０は、透明であってもよい。これにより、搬送経路１０に残ってしまった用紙Ｐを視認できるので、容易に取り除くことができる。また、インクカートリッジ４２ａ〜４２ｄと収容部２５が視認できるので、インクカートリッジ４２ａ〜４２ｄを容易に交換できる。プリンター１ｃのその他の構成は、実施形態１のプリンター１の構成と同じである。
【０１１４】
（実施形態６）
実施形態６では、インクカートリッジが開口部２８から正面側に突出した状態で備えられたプリンターについて説明する。図１３は、実施形態６におけるプリンター１ｄの外観斜視図である。図１４は、図１３のカバー３０ｅを取り外した状態におけるプリンター１ｄの外観斜視図である。
【０１１５】
開口部２８に位置する収容部２５には、イエロー、マゼンタ、シアン、ブラックなどのインクがそれぞれ収容された液体容器としてインクカートリッジ４４ａ，４４ｂ，４４ｃ，４４ｄが着脱可能に備えられる。インクカートリッジ４４ａ〜４４ｄは、開口部２８から正面側に突出して装着される。インクカートリッジ４４ａ〜４４ｄは、インク供給チューブ４１を介して液体噴射ヘッド５と連通する。
【０１１６】
プリンター１ｄには、図８を用いて説明したカバー３０ｅが、図１４の開口部２４を覆うようにして備えられる。また、プリンター１ｄには、方向Ｄ４に回動可能なカバー４３が備えられる。カバー４３は、インクカートリッジ４４ａ〜４４ｄが収容部２５に装着されていない状態で開口部２４と開口部２８とを覆うことができる。また、カバー４３は、カバー３０ｅが開口部２４を覆った状態で、カバー３０ｅに重なるようにして開口部２４を覆うことができる。プリンター１ｄのその他の構成は、実施形態１のプリンター１の構成と同じである。
【０１１７】
図１６は、記録部１０３に原稿給紙部１０１とスキャナー部１０２とを備えた記録装置１００の外観斜視図である。原稿給紙部１０１は、用紙サポート１１３に置かれた原稿（不図示）をスキャナー部１０２の原稿台（不図示）に給紙する。原稿台上でスキャナー部１０２によって原稿に描かれた文字や画像が読み取られた後、原稿給紙部１０１によってスタッカー１１４に原稿が排出される。
【０１１８】
液体噴射ヘッド１０７を備え主走査方向Ｄ１に往復移動するキャリッジ１０６と、用紙（不図示）を搬送する搬送経路１０５が、正面側が開口する開口部１０４から露出している。
【０１１９】
記録部１０３は、搬送経路１０５を搬送する用紙に対して液体噴射ヘッド１０７からインクを噴射し、用紙に文字や画像を印刷する。
【０１２０】
開口部１１５が主走査方向Ｄ１において開口部１０４と隣接して設けられる。開口部１１５を有する収容部１１１が設けられる。中継部としてのアダプター１０９ａ，１０９ｂ，１０９ｃ，１０９ｄが、収容部１１１に収容される。アダプター１０９ａ〜１０９ｄには、液体噴射ヘッド１０７と接続される第１のインク供給チューブとしてのインク供給チューブ１０８が接続される。
【０１２１】
記録装置１００の外には、インク色別に区画された液体容器５１ａ，５１ｂ，５１ｃ，５１ｄが収容されたインクタンク５０が配置される。アダプター１０９ａ〜１０９ｄには、インクタンク５０と接続される第２のインク供給チューブとしてのインク供給チューブ１１０が接続される。インク供給チューブ１１０は、記録装置１００の側面に設けられた係合部１１２に係合される。
【０１２２】
実施形態１〜実施形態６で説明した発明は、図１６に示した記録装置１００にも適用する。また、搬送経路が露出する搬送経路開口部と退避可能な部材を有し、搬送経路開口部を覆うカバーを備えた記録装置は、感光体を備えた電子写真方式の記録装置にも適用する。
【符号の説明】
【０１２３】
１〜１ｄ…インクジェットプリンター、２…筐体、５，１０７…液体噴射ヘッド、６，８ａ〜８ｄ，４０ａ〜４０ｄ，１０８，１１０…インク供給チューブ、７ａ〜７ｄ，１０９ａ〜１０９ｄ…アダプター、１０，１０５…搬送経路、１８…排出用開口部、１９…ガイドレール、２０…底板、２１，１１２…係合部、２４，２８，１０４，１１５…開口部、２５，１１１…収容部、２６…カセット挿入口部、３０，３０ａ〜３０ｆ…カバー、５０…インクタンク、８０ａ，８０ｂ，８１，８５，８８…継手、９０…アダプター、９１…貯留部、１００…記録装置、３０３ａ，３０３ｂ，３０６ａ，３０６ｂ，３０９ａ，３０９ｂ…分断部、３１１，３１４…棒状部材、３１２…帯状部材、Ｄ３…鉛直方向、Ｐ…用紙。
【図１】
2013151098.tif 000003
【図２】
2013151098.tif 000004
【図３】
2013151098.tif 000005
【図４】
2013151098.tif 000006
【図５】
2013151098.tif 000007
【図６】
2013151098.tif 000008
【図７】
2013151098.tif 000009
【図８】
2013151098.tif 000010
【図９】
2013151098.tif 000011
【図１０】
2013151098.tif 000012
【図１１】
2013151098.tif 000013
【図１２】
2013151098.tif 000014
【図１３】
2013151098.tif 000015
【図１４】
2013151098.tif 000016
【図１５】
2013151098.tif 000017
【図１６】
2013151098.tif 000018